(57)【要約】【課題】ユーザ装置及び基地局装置で通信に使用可能なアンテナ数の組み合わせが複数組存在する場合に、基地局装置における電力リソースの有効活用を図ること。【解決手段】基地局装置は、受信アンテナ数の異なるユーザ装置が混在してよい移動通信システムで使用される。基地局装置は、送信アンテナ数に合わせて、複数のリファレンス信号を用意する手段と、所定数の入力信号系列各々を送信アンテナ数分に複製し、複製された各系列に所定のプリコーディングベクトルを適用し、送信アンテナ数分の出力信号系列を作成するプリコーディング手段と、出力信号系列を含む送信信号を複数の送信アンテナから送信する手段とを有する。入力信号系列の少なくとも１つは、複数のリファレンス信号の内の１つと制御信号とを含む。【選択図】図６
2008236429.tif 000002
【特許請求の範囲】
【請求項１】
受信アンテナ数の異なるユーザ装置が混在してよい移動通信システムで使用される基地局装置であって、
送信アンテナ数に合わせて、複数のリファレンス信号を用意する手段と、
所定数の入力信号系列各々を送信アンテナ数分に複製し、複製された各系列に所定のプリコーディングベクトルを適用し、送信アンテナ数分の出力信号系列を作成するプリコーディング手段と、
前記出力信号系列を含む送信信号を複数の送信アンテナから送信する手段と、
を有し、前記入力信号系列の少なくとも１つは、前記複数のリファレンス信号の内の１つと制御信号とを含む基地局装置。
【請求項２】
前記入力信号系列の１つに同期チャネルが含まれる請求項１記載の基地局装置。
【請求項３】
前記同期チャネルが含まれる入力信号系列は、選択的に切り替えられる請求項２記載の基地局装置。
【請求項４】
１系列の制御信号を送信ダイバーシチ用の少なくとも２系列の制御信号系列に変換する変換手段を更に有し、
前記入力信号系列の少なくとも２つ各々は、前記変換手段で用意された制御信号系列の１系列と、前記複数のリファレンス信号の内の１つを含む請求項１記載の基地局装置。
【請求項５】
送信ストリーム数分の入力信号系列各々を送信アンテナ数分に複製し、複製された各系列に適応プリコーディングベクトルを適用し、送信アンテナ数分の出力信号系列を作成する適応プリコーディング手段を更に有し、
前記プリコーディング手段の入力信号系列は、前記適応プリコーディング手段の出力信号系列を含む請求項１記載の基地局装置。
【請求項６】
前記適応プリコーディングベクトルは、ユーザ装置からのフィードバック信号に応じて適応的に更新される請求項５記載の基地局装置。
【請求項７】
受信アンテナ数の異なるユーザ装置が混在してよい移動通信システムにおける基地局装置で使用される方法であって、
送信アンテナ数に合わせて、複数のリファレンス信号を用意するステップと、
所定数の入力信号系列各々を送信アンテナ数分に複製し、複製された各系列に所定のプリコーディングベクトルを適用し、送信アンテナ数分の出力信号系列を作成するプリコーディングステップと、
前記出力信号系列を含む送信信号を複数の送信アンテナから送信するステップと、
を有し、前記入力信号系列の少なくとも１つは、前記複数のリファレンス信号の内の１つと制御信号とを含む方法。
【発明の詳細な説明】
【技術分野】
【０００１】
本発明は移動通信システムにおける基地局装置及び方法に関する。
【背景技術】
【０００２】
この種の技術分野では次世代移動通信方式に関する研究開発が急ピッチで進められている。W-CDMAの標準化団体3GPPは、W-CDMAやHSDPA、HSUPAの後継となる通信方式がとして、ロングタームエボリューション(LTE:  Long  Term  Evolution)を検討している。LTEでは無線アクセス方式として下りリンクにOFDM方式を、上りリンクにSC-FDMA(Single-Carrier  Frequency  Division  Multiple  Access)を予定している (例えば、非特許文献1参照)。
直交周波数分割多重接続(OFDM)方式は、周波数帯域を複数の狭い周波数帯域（サブキャリア）に分割し、各周波数帯上にデータを載せて伝送を行うマルチキャリア方式であり、サブキャリアを周波数上に、一部重なりあいながらも互いに干渉することなく密に並べることで、高速伝送を実現し、周波数の利用効率を上げることができる。
【０００３】
シングルキャリアFDMA(SC-FDMA)は、周波数帯域を分割し、複数の端末間で異なる周波数帯域を用いて伝送することで、端末間の干渉を低減することができるシングルキャリア方式の伝送方式である。SC-FDMAでは、送信電力の変動が小さくなる特徴を持つことから、端末の低消費電力化及び広いカバレッジを実現できる。
【０００４】
LTEは、上りリンク、下りリンクともに１つないし２つ以上の物理チャネルを複数のユーザ装置で共有して通信を行うシステムである。上記複数のユーザ装置で共有されるチャネルは、一般に共有チャネルと呼ばれ、LTEでは上り共有物理チャネル(PUSCH:  Physical  Uplink  Shared  Channel)により上りリンクの通信が、下り共有物理チャネル(PDSCH:  Physical  Downlink  Shared  Channel)により下り通信が行われる。
【０００５】
これらの共有チャネルを用いた通信システムではサブフレーム(Sub-frame)(LTEでは1ms)毎に、どのユーザ装置に対して上記共有チャネルを割り当てるかをシグナリングする必要がある。このシグナリングに用いられる制御チャネルは、ＬＴＥでは、物理下りリンク制御チャネル(PDCCH:  Physical  Downlink  Control  Channel)または、下りＬ１／Ｌ２制御チャネル(DL-L1/L2  Control  Channel)と呼ばれる。上記物理下りリンク制御チャネルの情報には、例えば、下りスケジューリング情報又はダウンリンクスケジューリングインフォメーション(Downlink  Scheduling  Information)、送達確認情報(ACK/NACK:  Acknowledgement  information)、上りリンクスケジューリンググラント(Uplink  Scheduling  Grant)、オーバロードインジケータ(Overload  Indicator)、送信電力制御コマンドビット(Transmission  Power  Control  Command  Bit)等が含まれる（例えば、非特許文献２参照）。
【０００６】
上記下りスケジューリング情報や上りリンクスケジューリンググラントが、どのユーザ装置に対して上記共有チャネルを割り当てるかをシグナリングするための情報に相当する。上記下りスケジューリング情報には、例えば、下りリンクの共有チャネルに関する、下りリンクのリソースブロック(RB:  Resource  Block)の割り当て情報、ＵＥのＩＤ、MIMOが行われる場合のストリームの数、プリコーディングベクトル(Precoding  Vector)に関する情報、データサイズ、変調方式、HARQ(Hybrid  Automatic  Repeat  reQuest)に関する情報等が含まれる。また、上記上りリンクスケジューリンググラントには、例えば、上りリンクの共有チャネルに関する、上りリンクのリソースの割り当て情報、ＵＥのＩＤ、データサイズ、変調方式、上りリンクの送信電力情報、アップリンクMIMO(Uplink  MIMO)におけるデモジュレーションレファレンスシグナル(Demodulation  Reference Signal)の情報等が含まれる。
【非特許文献１】3GPP TR 25.814 (V7.0.0), "Physical Layer Aspects for Evolved UTRA," June 2006
【非特許文献２】3GPP,R1-070103, Downlink L1/L2 Control Signaling Channel Structure
【発明の開示】
【発明が解決しようとする課題】
【０００７】
マルチインプットマルチアウトプット(MIMO)方式は、通信に複数のアンテナを用いることで伝送信号の高速化及び／又は高品質化を図るマルチアンテナ方式の通信である。MIMO方式では通信に使用されるアンテナ数に依存して信号処理方式は一般に異なる。現在提案されている次世代移動通信システムでは、基地局装置の送信については、１アンテナ送信、２アンテナ送信及び４アンテナ送信が提案されており、受信については２アンテナ受信及び４アンテナ受信が提案されている。ユーザ装置の送信については１アンテナ送信及び２アンテナ送信が提案されており、受信については２アンテナ受信及び４アンテナ受信が提案されている。将来の移動通信システムでは、ユーザ装置及び基地局装置で通信に使用可能なアンテナ数の組み合わせが複数組存在するかもしれない。この場合に、基地局装置から４アンテナ各々から異なる信号が送信される一方、ユーザ装置が２アンテナしか使用できない場合には、そのユーザ装置は下り信号を適切に復調できないおそれがある。このような懸念に対処するため、下り制御チャネルは基地局装置の２つのアンテナからしか送信されないようにすることが考えられる。更に、同期チャネルは制御チャネル等を受信する以前に適切に受信しなければならない基礎的な信号なので、基地局装置の送信アンテナ数によらずユーザ装置で受信できる必要がある。このため、同期チャネルを基地局装置の１つのアンテナから送信することも考えられる。
【０００８】
制御チャネルにしても同期チャネルにしても、基地局装置の複数の送信アンテナのうち１つ又は２つの送信アンテナからしか送信しないようにすれば、どのユーザ装置でもそれらを適切に受信することは可能になるかもしれない。しかしながら、そのようにすると、図１に示されるように、制御チャネルや同期チャネルの送信に使用されないアンテナが不使用のまま残され、不使用のアンテナに割り当てられている電力リソースが有効に活用されないという問題が懸念される。更に、複数の送信アンテナのうち特定のアンテナからしか信号が送信されなかった場合には、MIMO方式による空間ダイバーシチ効果を十分に活用できないことも懸念される。
【０００９】
本発明の課題は、ユーザ装置及び基地局装置で通信に使用可能なアンテナ数の組み合わせが複数組存在する場合に、基地局装置における電力リソースの有効活用を図ることである。
【課題を解決するための手段】
【００１０】
本発明で使用される基地局装置は、受信アンテナ数の異なるユーザ装置が混在してよい移動通信システムで使用される。基地局装置は、送信アンテナ数に合わせて、複数のリファレンス信号を用意する手段と、所定数の入力信号系列各々を送信アンテナ数分に複製し、複製された各系列に所定のプリコーディングベクトルを適用し、送信アンテナ数分の出力信号系列を作成するプリコーディング手段と、前記出力信号系列を含む送信信号を複数の送信アンテナから送信する手段とを有する。前記入力信号系列の少なくとも１つは、前記複数のリファレンス信号の内の１つと制御信号とを含む。
【発明の効果】
【００１１】
本発明によれば、ユーザ装置及び基地局装置で通信に使用可能なアンテナ数の組み合わせが複数組存在する場合に、基地局装置における電力リソースの有効活用を図ることができる。
【発明を実施するための最良の形態】
【００１２】
図２は本発明の一実施例による基地局装置からリファレンス信号を送信する様子を示す。基地局装置は４つの送信アンテナを有し、各アンテナには電力増幅器PAが用意されている。電力増幅器PA各々に与えられる信号系列は、プリコーディング部からの出力信号系列であり、プリコーディング部の入力にはリファレンス信号P1,P2が入力される。リファレンス信号P3,P4は、ユーザ装置が４アンテナで受信可能であって、４アンテナを用いた通信が行われる場合に使用される。リファレンス信号P1,P2,P3,P4は互いに直交する符号系列であることが望ましい。
【００１３】
図３はプリコーディング部の詳細を示す。図示されているように、プリコーディング部は、第１乃至第４の重み付け複製部３１〜３４と、第１乃至第４の合成部３１８，...，３４８とを含む。重み付け複製部３１は複製部３１２、プリコーディングベクトル設定部３１４及び乗算部３１６を含む。他の重み付け複製部も同様に構成される。入力信号系列は送信アンテナ数分に複製され、複製された各系列にはプリコーディングベクトルがそれぞれ適用される。プリコーディングベクトルで重み付けされた系列の各々は、各自対応するアンテナ用の合成部に入力される。合成部は、様々な入力信号系列各々から複製され重み付けされた系列を合成し、電力増幅器PAに与える。
【００１４】
図２，図３に示される例では、リファレンス信号P1,P2は常に送信されるが、リファレンス信号P3,P4は必要に応じてしか送信されない。リファレンス信号P1,P2だけが送信される場合、第１乃至第４の入力信号系列の内、第１，第２の入力信号系列にリファレンス信号P1,P2が加えられ、第３，第４の入力信号系列にはリファレンス信号に関する有意義な信号は与えられない。第１の入力信号系列に入力された第１のリファレンス信号P1は、複製部で４系列に複製され、第１のプリコーディングベクトルで重み付けされた後に第１乃至第４のアンテナに分配される。同様に、第２の入力信号系列に入力された第２のリファレンス信号P2も、複製部で４系列に複製され、第２のプリコーディングベクトルで重み付けされた後に第１乃至第４のアンテナに分配される。その結果、第１のリファレンス信号は第１のプリコーディングベクトルで重み付けされ、４つのアンテナから第１の指向性で（第１のビームで）ユーザ装置に送信される。本実施例では、１種類のプリコーディングベクトルにより４つの物理アンテナから１つの指向性ビームが送信され、その１つの指向性ビームが１つの仮想アンテナに相当する。従って、「第１のリファレンス信号は仮想アンテナの１つから送信される」と表現されてもよい。第２のリファレンス信号は第２のプリコーディングベクトルで重み付けされ、４つのアンテナから第２の指向性で（第２のビームで）ユーザ装置に送信される。「第２のリファレンス信号は別の仮想アンテナから送信される」と表現されてもよい。第１のリファレンス信号も第２のリファレンス信号も４つの物理アンテナから送信されるので、４アンテナ分の電力リソースを十分に活用できる。また、４アンテナ全てを使用しているので、MIMO方式による空間ダイバーシチ効果を十分に活用できる。ユーザ装置にとっては、仮想アンテナの１つから第１のリファレンス信号が受信され、別の仮想アンテナから第２のリファレンス信号が受信される。ユーザ装置から見れば、基地局装置の物理アンテナ数によらず、リファレンス信号はあたかも２アンテナで送信されているかのように受信処理を行うことができる。
【００１５】
図４は基地局から同期チャネル(SCH)を送信する様子を示す。同期チャネルは、プリコーディング部のいずれか１つの入力信号系列に与えられる。スイッチを様々に切り替えることで、同期チャネルの与えられる入力信号系列は様々に変わる。プリコーディング部は図３で説明されたのと同様の構成及び機能を有する。但し、同期チャネルはいずれか１つの入力信号系列に与えられ、残りの３つの入力信号系列には同期チャネルに関する有意義な信号は与えられていない。従って、同期チャネルは或る特定のプリコーディングベクトルで重み付けされ、４つのアンテナから或る特定の指向性で（或る特定のビームで）ユーザ装置に送信される。同期チャネルの与えられる入力信号系列が切り替えられることで、指向性も切り替えられる。
【００１６】
図５は、同期チャネルのプリコーディングベクトルとしてw1,w2の２組が用意され、それら２組が10msの間に切り替えられる様子を模式的に示す。同期チャネルについても４つのアンテナから送信されるので、４アンテナ分の電力リソースを十分に活用できる。また、４アンテナ全てを使用しているので、MIMO方式による空間ダイバーシチ効果を十分に活用できる。本実施例では、１種類のプリコーディングベクトルにより４つの物理アンテナから１つの指向性ビームが送信され、その１つの指向性ビームが１つの仮想アンテナに相当する。同期チャネルのビームはプリコーディングベクトルが切り替わる度に変わるが、瞬時には１つしか存在しない。ユーザ装置は、１つの仮想アンテナからしか同期チャネルを受信しない。ユーザ装置から見れば、基地局装置の物理アンテナ数によらず、同期チャネルはあたかも１アンテナで送信されているかのように受信処理を行うことができる。
【００１７】
図６は基地局装置からリファレンス信号、同期チャネル、制御チャネル及びデータチャネルが送信される様子を示す。説明するための図である。図６には、送信ダイバーシチ用変調部６１、適応プリコーディング部６２、多重部６３−１〜４、同期チャネル用スイッチ６４、多重部６５−１〜４、固定プリコーディング部６６が示されている。
【００１８】
送信ダイバーシチ用変調部６１は、制御チャネルの信号系列を送信ダイバーシチ用の複数の信号系列に変換する。送信ダイバーシチ用の変調は、サイクリック遅延ダイバーシチ(CDD:  Cyclic  Delay  Diversity)方式、FSTD(Frequency  Switched  Transmit  Diversity)方式、SFBC(Space  Frequency  Block  Coding)方式、STBC(Space  Time  Block  Coding)方式その他の適切な何らかの変調方式でよい。図示の例では１系列の制御チャネルが２系列に変換されている。技術的にはそれより多くの系列に変換されることも可能であるが、制御チャネルを２つの仮想アンテナで送信する観点から、２系列に変換されている。上述したように１種類のプリコーディングベクトルにより４つの物理アンテナから１つの指向性ビームが送信され、その１つの指向性ビームが１つの仮想アンテナに相当する。制御チャネルは基地局装置から４つの物理アンテナで送信されるが、ユーザ装置から見れば２つの仮想アンテナからの信号のようにしか見えないので、ユーザ装置にとっては２アンテナ送信に対する受信処理で済む。従って送信ダイバーシチ用変調部で制御チャネルを何系列に変換するかは、仮想アンテナ数に依存して設定されてよい。なお、送信ダイバーシチを行わず、制御チャネルが複数の系列に変換されなくてもよい。その場合、制御チャネルは１つの仮想アンテナから送信されることになる。
【００１９】
適応プリコーディング部６２は、概して第３図で説明されたものと同様の構成を有し、データチャネルである入力信号系列が物理的な送信アンテナ数分に複製され、複製された各系列にはプリコーディングベクトルがそれぞれ適用される。図示の例では、１６ＱＡＭ等のようなデータ変調済みのユーザデータが、入力信号系列に入力されるデータチャネルになっている。プリコーディングベクトルで重み付けされた系列の各々は、各自対応するアンテナ用の合成部に入力される。合成部は、様々な入力信号系列各々から複製され重み付けされた系列を合成し、次段の処理要素（図６では多重部）に与える。適応プリコーディング部６２で使用されるプリコーディングベクトルは、図３で説明されたものとは異なり、ユーザ装置からのフィードバック信号に基づいて、そのユーザ装置との通信に相応しくなるように適応的に更新される。但し、後述されるようにデータチャネルについてもプリコーディング部６６で所定のプリコーディングベクトルが適用され、データチャネルについては、６２での適応プリコーディングベクトル及び６６でのプリコーディングベクトル双方が適用される。従ってこれら双方のプリコーディングベクトルがデータチャネルに適用された場合に、そのユーザ装置との通信に相応しくなるように適応制御が行われる。
【００２０】
多重部６３−１は、リファレンス信号１と、制御チャネルの系列の一方と、データチャネルとを多重する。多重部６３−２は、リファレンス信号２と、制御チャネルの系列の他方と、データチャネルとを多重する。多重部６３−３は、リファレンス信号３と、データチャネルとを多重し、この多重部で制御チャネルは多重されない。多重部６３−４は、リファレンス信号４と、データチャネルとを多重し、この多重部でも制御チャネルは多重されない。リファレンス信号１〜４は互いに直交していることが望ましい。リファレンス信号１，２は全てのユーザ装置に必須であるが、リファレンス信号３，４は必須でない。リファレンス信号３，４は、４アンテナを用いた通信がユーザ装置で行われる場合に使用され、そのようなユーザとの通信の際に必要に応じて多重部６３−３，４で多重される。必要に応じて多重されればよいので、４種類のリファレンス信号用のリソースを常に確保する必要はない。リソースを常に確保しなければならないのはリファレンス信号１，２だけであり、リファレンス信号３，４についてはオプションとして必要に応じて確保されればよい。
【００２１】
同期チャネル用スイッチ６４は、図４で説明された切り替えスイッチと同様に、複数の信号系列のいずれか１つに同期チャネルを選択的に結合する。
【００２２】
多重部６５−１〜４は、多重部６３−１〜４からの出力信号と、スイッチ６４からの信号とを多重する。スイッチ６４からの信号のうち、１つは同期チャネルを含むが、他の３つは有意な信号を含んでいない。同期チャネルがどの多重部に案内されるかはスイッチ６４により適宜切り替えられる。説明の便宜上、多重部６３−１〜４と多重部６５−１〜４とが物理的に別々に用意されるように図示されているが、このことは本発明に必須でなく１つにまとめられてもよい。上記のように多重された信号が固定プリコーディング部６６に入力されればよいからである。
【００２３】
固定プリコーディング部６６は、概して第３図で説明されたものと同様の構成を有し、多重部６５−１〜４からの出力である入力信号系列各々が物理的な送信アンテナ数分に複製され、複製された各系列には所定のプリコーディングベクトルがそれぞれ適用される。所定のプリコーディングベクトルは、リファレンス信号、同期チャネル及び制御チャネル用に予めシステムで又はセル毎に用意されており、個々のユーザ装置によらない重み(ウエイト)である。固定プリコーディング部６６で用意される所定のプリコーディングベクトル数が、仮想アンテナ数を決定する。図示の例では、全ユーザに共通するリファレンス信号は２つの仮想アンテナから、同期チャネルは１つの仮想アンテナから、制御チャネルは２つの仮想アンテナから（送信ダイバーシチ用の変調が行われていない場合は、１つの仮想アンテナから）送信され、データチャネルはユーザに応じたアンテナ数で送信される。従って例えばユーザ装置は、基地局装置の物理的な送信アンテナ数によらず、これらの仮想アンテナ数に配慮して例えばCQI測定(下りリファレンス信号の受信品質の測定)等を行うことができる。
【００２４】
図７は本発明の一実施例による動作例を示すフローチャートである。ステップS1ではユーザ装置が同期チャネル(SCH)を用いてセルサーチを行う。同期チャネルは基地局装置から１つの仮想アンテナで送信されるので、ユーザ装置は基地局装置の物理的な送信アンテナ数によらず、その同期チャネルを適切に捕捉することができる。同期チャネルを捕捉することで、ユーザ装置は、キャリア周波数、受信タイミング、拡散符号(セルID)等の情報を特定し、接続するセルを決定する。
【００２５】
ステップS2では、検出された同期チャネルに基づいて、制御チャネルがどのように送信されているかを確認する。具体的には制御チャネルの伝送に送信ダイバーシチが適用されているか否か、適用されていた場合はそれが如何なる手法であるか(CDD,FSTD,SFBC等)、制御チャネルに関する仮想アンテナ数等を確認する。これらの情報は、一例として同期チャネルに用いられる拡散符号に含められてもよい。送信ダイバーシチが適用されていなかった場合は、フローはステップS3に進む。
【００２６】
ステップS3では、予め定められている１アンテナ送信時のリファレンス信号のマッピングパターンに基づいてチャネル推定が行われ、制御チャネルが復調され、データチャネルの復調等が行われる。一方、ステップS2で送信ダイバーシチが適用されていた場合は、フローはステップS4に進む。
【００２７】
ステップS4では、予め定められている第１及び第２仮想アンテナのリファレンス信号のマッピングパターンに基づいて、２ストリームに関するチャネル推定が行われる。この推定結果に基づいて、使用されている送信ダイバーシチ法に対応する復調が行われ、制御チャネルが導出され、導出された制御チャネルが復調される。以後必要に応じてデータチャネルの復調等が行われる。
【００２８】
送信ダイバーシチがCDD方式であった場合、第１及び第２仮想アンテナ間の固定量の遅延とともに、制御チャネルは送信されている。その固定の遅延量に相当する周波数方向の位相回転量を、制御チャネルに遅延を与えている第２仮想アンテナのチャネル推定値に乗算した後、第１仮想アンテナのチャネル推定値に加えることで、CDD送信された制御チャネルの２仮想アンテナからの送信信号が合成された受信信号に対するチャネル推定値が得られる。これらのチャネル推定値を用いてコヒーレント検波が行われる。
【００２９】
送信ダイバーシチがFSTD方式であった場合、端末に既知のパターンで、サブキャリア毎に第１及び第２仮想アンテナは交互に送信される。例えば奇数サブキャリアは第１仮想アンテナから、偶数サブキャリアは第２仮想アンテナから送信されてよい。サブキャリア毎に送信に用いられた仮想アンテナのチャネル推定値を用いて、コヒーレント検波が行われる。
【００３０】
送信ダイバーシチがSFBC方式であった場合、第１及び第２仮想アンテナのチャネル推定値を用いて、SFBC復号を行うことでコヒーレント検波が行われる。
【００３１】
送信ダイバーシチ法は上記の方式に限定されず、適切な何らかの方式が使用されてよい。いずれにせよ、同期チャネル、リファレンス信号及び制御チャネルが復調され、必要に応じてデータチャネルの通信が行われる。
【図面の簡単な説明】
【００３２】
【図１】複数のアンテナの一部が不使用のまま残される例を示す図である。
【図２】基地局装置からリファレンス信号を送信する様子を説明するための図である。
【図３】プリコーディング部のブロック図を示す。
【図４】基地局から同期チャネルを送信する様子を説明するための図である。
【図５】同期チャネルのプリコーディングベクトルw1,w2が10ms毎に切り替えられる様子を示す図である。
【図６】基地局装置からリファレンス信号、同期チャネル、制御チャネル及びデータチャネルが送信される様子を示す図である。
【図７】本発明の一実施例による動作例を示すフローチャートである。
【符号の説明】
【００３３】
ＰＡ  電力増幅器
３１〜３４  重み付け複製部
３１２，...，３４２  複製部
３１４，...，３４４  プリコーディングベクトル設定部
３１６，...，３４６  乗算部
３１８，...，３４８  合成部
６１  送信ダイバーシチ用変調部
６２  適応プリコーディング部
６３−１〜４  多重部
６４  同期チャネル用スイッチ
６５−１〜４  多重部
６６  固定プリコーディング部
【図１】
2008236429.tif 000003
【図２】
2008236429.tif 000004
【図３】
2008236429.tif 000005
【図４】
2008236429.tif 000006
【図５】
2008236429.tif 000007
【図６】
2008236429.tif 000008
【図７】
2008236429.tif 000009